【事件の表示】
　特願２０１２−１２３２７５号「遊技機」拒絶査定不服審判事件〔平成２５年１２月１２日出願公開、特開２０１３−２４８０１６号〕について、次のとおり審決する。
【結　論】
　本件審判の請求は、成り立たない。
【理　由】
第１　手続の経緯
　本願は、平成２４年５月３０日に特許出願されたものであって、平成２６年６月１６日付けで手続補正がなされたが、平成２６年１１月２８日付けで拒絶理由通知がなされ、これに対し平成２７年２月２日付けで手続補正がなされたが、平成２７年７月８日付けで補正の却下の決定がなされるとともに拒絶査定がなされ、これに対して、平成２７年１０月１３日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　平成２７年２月２日付けの手続補正は既に補正却下の決定がなされている。そして、本件補正は特許請求の範囲の請求項１の記載を含む補正であり、平成２６年６月１６日付けの手続補正と本件補正の特許請求の範囲の請求項１の記載はそれぞれ、以下のとおりである（下線部は補正箇所を示す。）。
　
（補正前：平成２６年６月１６日付け手続補正）
「【請求項１】
　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
　遊技者の第１の動作を検出する第１の検出手段と、
　遊技者の前記第１の動作とは異なる第２の動作を検出する第２の検出手段と、
　所定条件が成立したときに特別演出を実行する特別演出実行手段と、
　遊技者に前記第１の動作を行うように促す第１の促進演出または遊技者に前記第２の動作を行うように促す第２の促進演出を実行する促進演出実行手段と、
　を備え、
　前記促進演出実行手段は、
　前記第１の促進演出と前記第２の促進演出の少なくともいずれか一方について、演出態様が異なる複数の促進演出を実行可能であって、
　前記特別演出が前記特別演出実行手段によって実行されるときには、期待度が異なるように、前記第１の促進演出と前記第２の促進演出のいずれかを実行するとともに、
　前記第１の促進演出または前記第２の促進演出を実行するときには、期待度が異なるように、演出態様が異なる複数の促進演出のいずれかを実行し、
　前記第１の促進演出が実行される期間は前記第２の促進演出の実行を制限する、
　ことを特徴とする遊技機。」
（補正後：本件補正である平成２７年１０月１３日付け手続補正） 
「【請求項１】
　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
　遊技者の第１の動作を検出する第１の検出手段と、
　遊技者の前記第１の動作とは異なる第２の動作を検出する第２の検出手段と、
　所定条件が成立したときに特別演出を実行する特別演出実行手段と、
　遊技者に前記第１の動作を行うように促す第１の促進演出または遊技者に前記第２の動作を行うように促す第２の促進演出を実行する促進演出実行手段と、
　を備え、
　前記促進演出実行手段は、
　前記第１の促進演出と前記第２の促進演出の少なくともいずれか一方について、演出態様が異なる複数の促進演出を実行可能であって、
　前記特別演出が前記特別演出実行手段によって実行されるときには、期待度が異なるように、前記第１の促進演出と前記第２の促進演出のいずれかを実行するとともに、
　前記第１の促進演出または前記第２の促進演出を実行するときには、期待度が異なるように、演出態様が異なる複数の促進演出のいずれかを実行し、
　前記第１の促進演出が実行される期間は前記第２の促進演出の実行を制限し、
　
前記第１の促進演出が実行される前に、前記第１の促進演出が実行されることを報知す
　ことを特徴とする遊技機。」
２．補正の適否　　
　本件補正によって、請求項１の記載は、上記１．の下線部が加わるように補正された。すなわち、補正後の請求項１は、補正前の請求項１に記載された発明特定事項である「前記第１の促進演出」について、「実行される前に、前記第１の促進演出が実行されることを報知する」ことを特定することで、「前記第１の促進演出」についての構成を限定するものである。
　そうすると、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、新規事項を追加するものではない。
　
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１の補正の概要において示した次のとおりのものである（Ａ〜Ｆは本願補正発明を分説するため当審で付与した。）。
「Ａ　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
Ｂ　遊技者の第１の動作を検出する第１の検出手段と、
Ｃ　遊技者の前記第１の動作とは異なる第２の動作を検出する第２の検出手段と、
Ｄ　所定条件が成立したときに特別演出を実行する特別演出実行手段と、
Ｅ　遊技者に前記第１の動作を行うように促す第１の促進演出または遊技者に前記第２の動作を行うように促す第２の促進演出を実行する促進演出実行手段と、
　を備え、
Ｆ　前記促進演出実行手段は、
　前記第１の促進演出と前記第２の促進演出の少なくともいずれか一方について、演出態様が異なる複数の促進演出を実行可能であって、
Ｇ　前記特別演出が前記特別演出実行手段によって実行されるときには、期待度が異なるように、前記第１の促進演出と前記第２の促進演出のいずれかを実行するとともに、
Ｈ　前記第１の促進演出または前記第２の促進演出を実行するときには、期待度が異なるように、演出態様が異なる複数の促進演出のいずれかを実行し、
Ｉ　前記第１の促進演出が実行される期間は前記第２の促進演出の実行を制限し、
Ｊ　前記第１の促進演出が実行される前に、前記第１の促進演出が実行されることを報知する、
　ことを特徴とする遊技機。」
（２）刊行物に記載された事項
（２−１）刊行物１
　原査定の拒絶の理由に引用された本願の出願日前に頒布された刊行物である特開２０１１−１７７４２１号公報には、図面と共に次の事項が記載されている（下線は当審で付した。以下、同様である。）。
（ア）「【発明を実施するための形態】
【０００９】
　以下、本発明の実施形態を図面に基づいて詳述する。図１〜図１２は本発明を
パチンコ機
遊技機
【００１０】
　前面板６の前側には、図１及び図２に示すように、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う
上皿カバー１１上には、例えば左右方向の左端側に第１操作ボタン（第１操作検出手段）１２が、略中央に第２操作ボタン（第２操作検出手段）１３が
夫々配置
【００１１】
　
第１操作ボタン１２は、遊技者の押圧操作（所定操作の一例）を検出可能な押しボタン式の操作検出手段
平坦な略楕円形の操作ボタン部１５
【００１２】
　
第２操作ボタン１３は、遊技者の押圧操作（所定操作の一例）を検出可能な押しボタン式の操作検出手段
ドーム型の操作ボタン部１６
（イ）「【００２４】
　
演出図柄表示手段５４は、例えば特別図柄表示手段５２による特別図柄の変動表示と並行して演出図柄を変動表示するもので、１個又は複数個、例えば左右方向に３個の演出図柄を例えば各種の演出画像と共に画像表示手段３５の表示画面３５ａに変動表示可能に構成され
演出図柄を左、右、中等の所定の順序で停止させる
【００２５】
　演出図柄には、例えば「０」〜「９」の１０種類の数字図柄が用いられ、
「６・６・６」「７・７・７」等、３つの図柄が全て同じ図柄で揃ったものが大当たり態様
特別図柄が大当たり態様となる場合には演出図柄も大当たり態様となり
（ウ）「【００２６】
　
演出画像表示手段５６は、第１操作演出中における第１操作誘導報知、第２操作演出中における第２操作誘導報知等を行うもの
第１操作演出中の所定の第１操作有効期間中に、例えば第１操作ボタン１２が押圧操作されるアニメーション画像等よりなる第１操作誘導画像を表示する第１操作誘導報知を行い、また第２操作演出中の所定の第２操作有効期間中に、例えば第２操作ボタン１３が押圧操作されるアニメーション画像等よりなる第２操作誘導画像を表示する第２操作誘導報知を行う
【００２７】
　
大入賞手段４７は、遊技球が入賞可能な開状態と入賞不可能な閉状態とに切り換え可能な開閉板５９を備えた開閉式入賞手段で、特別図柄表示手段５２の変動後の特別図柄が大当たり態様となることに基づいて特別利益状態が発生したときに、開閉板５９が所定の開放パターンに従って前側に開放して、その上に落下した遊技球を内部へと入賞させる
（エ）「【００３６】
　
変動パターン選択手段７８は、演出図柄の変動パターンを選択するもの
所定の乱数生成手段から取得した変動パターン乱数値に基づいて選択する
【００３７】
　本実施形態では、図５に示すように、リーチなし外れ変動パターンとしてリーチなし外れ１、リーチなし外れ２の２種類が、
リーチ外れ変動パターンとして
スーパーリーチ外れ１、スーパーリーチ外れ２
リーチ大当たり変動パターンとして
スーパーリーチ大当たり１、スーパーリーチ大当たり
（オ）「【００４１】
　演出制御基板６２は、演出図柄表示手段５４、特別保留個数表示手段５５、演出画像表示手段５６、回転灯２０、音声出力手段９１、ランプ手段９２等の各種演出手段を制御するためのもので、特別保留個数表示制御手段１０１、
演出図柄制御手段１０２、操作演出制御手段１０３
（カ）「【００６５】
　なお本実施形態では、仮に第１操作演出と第２操作演出との両方に当選したとしても（図６のＳ１，Ｓ８）、
第１操作有効期間と、第２操作ボタン１３の操作が有効な第２操作有効期間とは互いに重ならないように設定されている
（キ）【図５】（ａ）には、第１操作演出における、変動パターン、出現率、大当たり信頼度等について示されており、変動パターンには
、スーパーリーチ外れ１、スーパーリーチ外れ２、スーパーリーチ大当たり１、スーパーリーチ大当たり２等
第１操作演出の大当たり信頼度は２．２％である
　スーパーリーチ１、２の出現率として、スーパーリーチ外れ１は４％、スーパーリーチ外れ２は３．６％、スーパーリーチ大当たり１は０．４２％、スーパーリーチ大当たり２は０．２４％であることが示されている。
　また、【図５】（ｂ）には、第２操作演出における、変動パターン、出現率、大当たり信頼度等について示されており、変動パターンには
、スーパーリーチ外れ１、スーパーリーチ外れ２、スーパーリーチ大当たり１、スーパーリーチ大当たり２等
第２操作演出の大当たり信頼度は２７．４％である
　スーパーリーチ１、２の出現率として、スーパーリーチ外れ１は０．５％、スーパーリーチ外れ２は０．８％、スーパーリーチ大当たり１は０．４８％、スーパーリーチ大当たり２は０．３％であることが示されている。
　以上の記載事項、図示内容から、刊行物１には以下の事項が記載されているといえる。
（ａ）上記（イ）には、
複数の演出図柄を変動表示し、所定の順序で停止させ、３つの図柄が全て同じ図柄で揃ったら大当たり態様
　そして、上記（ウ）【００２７】には、
大入賞手段４７は、特別図柄が大当たり態様となることに基づいて特別利益状態が発生したときに、開閉板５９が所定の開放パターンに従って前側に開放すること
　そして、これらは上記（ア）【０００９】におけるパチンコ機の構成の一部であることは明らかである。
　以上より、刊行物１には、
複数の演出図柄を変動表示し、所定の順序で停止させ、３つの図柄が全て同じ図柄で揃い大当たり態様となると、大入賞手段４７の開閉板５９は所定の開放パターンに従って前側に開放するパチンコ機
（ｂ）上記（ア）【００１０】に、
上皿カバー１１上には、左右方向の左端側に第１操作ボタン（第１操作検出手段）１２が、略中央に第２操作ボタン（第２操作検出手段）１３が配置
第１操作ボタン１２は、遊技者の押圧操作（所定操作の一例）を検出可能な押しボタン式の操作検出手段で、平坦な略楕円形の操作ボタン部１５を有する
第２操作ボタン１３は、遊技者の押圧操作（所定操作の一例）を検出可能な押しボタン式の操作検出手段で、ドーム型の操作ボタン部１６を有する
　以上より、刊行物１には、
遊技者の押圧操作を検出可能で平坦な略楕円形の操作ボタン部１５を有する第１操作ボタン１２と、遊技者の押圧操作を検出可能で、ドーム型の操作ボタン部１６を有する第２操作ボタン１３を有する
（ｃ）上記（エ）【００３６】には、
変動パターン選択手段７８は、演出図柄の変動パターンを選択し、所定の乱数生成手段から取得した変動パターン乱数値に基づいて選択すること
リーチ変動パターンとして、スーパーリーチ１、スーパーリーチ２
　そして、上記（オ）【００４１】の
演出図柄制御手段１０２が上記リーチ変動を含む変動パターンの演出図柄の変動を実行する手段
　したがって、刊行物１には、
所定の乱数生成手段から取得した変動パターン乱数値に基づいて、スーパーリーチを実行する演出図柄制御手段１０２
（ｄ）上記（ウ）【００２６】には、
演出画像表示手段５６は、第１操作ボタン１２が押圧操作されるアニメーション画像等よりなる第１操作誘導画像を表示する第１操作誘導報知を行い、第２操作ボタン１３が押圧操作されるアニメーション画像等よりなる第２操作誘導画像を表示する第２操作誘導報知を行う
　そして、上記（オ）【００４１】の
操作演出制御手段１０３が上記演出画像表示手段５６の各誘導報知を実行する手段
　以上より、刊行物１には、
第１操作ボタン１２が押圧操作されるアニメーション画像等よりなる第１操作誘導画像を表示する第１操作誘導報知、第２操作ボタン１３が押圧操作されるアニメーション画像等よりなる第２操作誘導画像を表示する第２操作誘導報知を実行する操作演出制御手段１０３
（ｅ）上記（キ）【図５】には、スーパーリーチ１、２の実行が決定されると、第１操作演出と第２操作演出を実行可能なことが示されている。そして、第１操作演出と第２操作演出の大当たり信頼度は異なるから、スーパーリーチ１、２の実行時の大当たり信頼度も第１操作演出と第２操作演出により異なることは明らかである（なお、上記（キ）における、スーパーリーチ１、２のはずれ、大当たりの出現率から計算すると、第１操作演出時のスーパーリーチ１、２の大当たり信頼度は約８％であるが、第２操作演出時のスーパーリーチ１、２の大当たり信頼度は約３７、５％である）。
　したがって、刊行物１には、
スーパーリーチが演出図柄制御手段１０２により実行されるときに、大当たり信頼度が異なる第１操作演出（第１操作誘導報知）、第２操作演出（第２操作誘導報知）を実行可能
（ｆ）上記（カ）には、第１操作演出と第２操作演出との両方に当選したとしても第１操作有効期間と、第２操作ボタン１３の操作が有効な第２操作有効期間とは互いに重ならないように設定されていることが記載されている。そして、上記（ウ）より、第１操作誘導報知は第１操作演出中の所定の第１操作有効期間中に行い、第２操作誘導報知等は第２操作演出中の所定の第２操作有効期間中に行うものである。
　したがって、上記各ボタンの有効期間が互いに重ならないように設定されている以上、
第１操作演出中に行う第１操作誘導報知と第２操作演出中に行う第２操作誘導報知の有効期間も互いに重ならないように設定
操作演出制御手段１０３により制御
　
　以上の（ア）〜（キ）の記載内容、（ａ）〜（ｆ）の認定事項を総合すると、上記刊行物１には次の発明（以下、「引用発明」という。）が記載されている（ａ〜ｊは引用発明を分説するため当審で付与した。）。
「ａ　複数の演出図柄を変動表示し、所定の順序で停止させた３つの図柄が全て同じ図柄で揃い大当たり態様となると、大入賞手段４７の開閉板５９は所定の開放パターンに従って前側に開放するパチンコ機であって、
ｂ　遊技者の押圧操作を検出可能で、平坦な略楕円形の操作ボタン部１５を有する第１操作ボタン１２と、
ｃ　遊技者の押圧操作を検出可能で、ドーム型の操作ボタン部１６を有する第２操作ボタン１３を有し、
ｄ　所定の乱数生成手段から取得した変動パターン乱数値に基づいて、スーパーリーチを実行する演出図柄制御手段１０２と、
ｅ　第１操作ボタン１２が押圧操作されるアニメーション画像等よりなる第１操作誘導画像を表示する第１操作誘導報知、第２操作ボタン１３が押圧操作されるアニメーション画像等よりなる第２操作誘導画像を表示する第２操作誘導報知を実行する操作演出制御手段１０３と、
ｆ　操作演出制御手段１０３は、
ｇ　スーパーリーチが演出図柄制御手段１０２により実行されるときに、大当たり信頼度が異なる第１操作演出、第２操作演出を実行可能であり、
ｉ　第１操作演出中に行う第１操作誘導報知と第２操作演出中に行う第２操作誘導報知の有効期間が互いに重ならないように設定された、
ｊ　遊技機。」
（２−２）刊行物２
　原査定の拒絶の理由に引用された本願の出願日前に頒布された刊行物である特開２００７−１０５２４７号公報（以下、「刊行物２」という。）には、図面と共に次の事項が記載されている。
（ア）「【発明の詳細な説明】
【技術分野】
【０００１】
　本発明は、遊技機に関し、特に遊技者に有利な大当り遊技状態の制御を行うことが可能な
パチンコ遊技機
（イ）「【００９５】
　さらに、演出データ記憶手段であるプログラムＲＯＭ３０２は、
外部入力スイッチ１０への操作を遊技者に促すためのデータ
大当りの期待度の種類に応じた演出データ（以下、当該演出データを「期待度示唆データ」という）を複数記憶
【００９６】
　例えば、上述した
期待度示唆データとして、「ＰＵＳＨ！」という文字を液晶表示装置２１に表示させるためのパターンＡ、閃光および「ＰＵＳＨ！」という文字を液晶表示装置２１に表示させるためのパターンＢ、高速で点滅する閃光および「ゲキアツ！」という文字を液晶表示装置２１に表示させるためのパターンＣ、高速で点滅する閃光および「大当り！」という文字を液晶表示装置２１に表示させるためのパターンＤ
（ウ）「【０１１５】
　具体的には、期待度示唆演出選択手段は、大当り期待度決定手段により決定された大当り期待度が「低」である場合、パターンＡ、パターンＢ、パターンＣ、パターンＤの各期待度示唆データをそれぞれ８０％、１０％、５％、５％の割合で選択する。また、大当り期待度決定手段により決定された大当り期待度が「中」である場合、パターンＡ、パターンＢ、パターンＣ、パターンＤの各期待度示唆データをそれぞれ２０％、３０％、３０％、２０％の割合で選択する。そして、大当り期待度決定手段により決定された大当り期待度が「高」である場合、パターンＡ、パターンＢ、パターンＣ、パターンＤの各期待度示唆データをそれぞれ１０％、２０％、３０％、４０％の割合で選択する。このように、本実施の形態では、
大当り期待度が高いほど後続のパターン（パターンＣやパターンＤ等）が選択されやすくなっている。
（２−３）刊行物３
　本願の出願日前に頒布された刊行物である特開２０１１−６２２５２号公報（以下、「刊行物３」という。）には、図面と共に次の事項が記載されている。
（ア）「【発明の詳細な説明】
【技術分野】
【０００１】
　本発明は、遊技媒体による始動領域の通過により変動表示の実行条件が成立した後、変動表示の開始を許容する開始条件が成立したときに、各々を識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機に関する。」
（イ）「【０１５０】
　図９は、操作演出としての単発操作演出と先読み予告としての単発操作演出予告とが行なわれるときの演出表示装置９の表示例を示す表示画面図である。ここで、単発操作演出とは、遊技者が操作ボタン１３０を１回押す操作（単発操作）に応じて、所定の演出が行なわれる操作演出をいう。また、単発操作演出予告とは、単発操作演出が行なわれる変動表示の前の変動表示において単発操作演出が実行されることを予告する操作演出予告をいう。図９においては、単発操作演出が行なわれる変動表示の前の変動表示において先読み予告として単発操作演出予告が行なわれ、その後の変動表示の単発操作演出において大当りとならないことが報知される例が示されている。
・・・
【０１５４】
　そして、図９（Ｄ）のように１個目の保留記憶に対応する演出図柄の変動表示が開始され、その変動表示中において、先読み予告として、図９（Ｅ）のように「
次の変動でボタンを押せ！」というメッセージ９０１、および、操作ボタン１３０が操作対象であることを示す操作対象画像９０３を表示する単発操作演出予告
【０１５５】
　次に、図９（Ｇ）のように２個目の保留記憶（最後の保留記憶）に対応する演出図柄の変動表示が開始された後、図９（Ｈ）のように「左」，「右」の図柄表示エリア９Ｌ，９Ｒの停止図柄が一致してリーチ状態となった後、図９（Ｉ）のように、「
ボタンを押して爆発させろ！」という操作案内メッセージ９０２、および、操作対象画像９０３が表示され、単発操作演出が開始される。
（３）対比
　本願補正発明と引用発明とを対比する。対比の見出しとしての（ａ）〜（ｉ）は引用発明の分説構成と対応させた。
（ａ）引用発明の「複数の演出図柄」、「変動表示」、「停止させた３つの図柄」、「大当たり態様」、「大入賞手段４７は開閉板５９が所定の開放パターンに従って前側に開放」、「パチンコ機」は、それぞれ、本願補正発明の「識別可能な複数種類の識別情報」、「可変表示」、「表示結果」、「特定表示結果」、「遊技者にとって有利な特定遊技状態に制御」、「遊技機」に相当する。
　したがって、引用発明の「複数の演出図柄を変動表示し、所定の順序で停止させ、３つの図柄が全て同じ図柄で揃い大当たり態様となると、大入賞手段４７は開閉板５９が所定の開放パターンに従って前側に開放するパチンコ機」は、本願補正発明の「各々を識別可能な複数種類の識別情報の可変表示を行って表示結果を導出表示する可変表示手段に予め定められた特定表示結果が導出表示されたときに、遊技者にとって有利な特定遊技状態に制御する遊技機」に相当する。
（ｂ）引用発明の「遊技者の押圧操作」、「平坦な略楕円形の操作ボタン部１５を有する第１操作ボタン」は本願発明の「第１の動作」、「第１の検出手段」に相当する。
　したがって、引用発明の「遊技者の押圧操作を検出可能で、平坦な略楕円形の操作ボタン部１５を有する第１操作ボタン」は、本願補正発明の「遊技者の第１の動作を検出する第１の検出手段」に相当する。
（ｃ）引用発明の「ドーム型の操作ボタン部１６を有する第２操作ボタン１３」は、「平坦な略楕円形の操作ボタン部１５を有する第１操作ボタン」と形状等が異なるから押圧操作も前記第１操作ボタンとは異なるといえる。
　したがって、引用発明の「遊技者の押圧操作を検出可能で、ドーム型の操作ボタン部１６を有する第２操作ボタン１３」は、本願補正発明の「遊技者の前記第１の動作とは異なる第２の動作を検出する第２の検出手段」に相当する。
（ｄ）引用発明の「所定の乱数生成手段から取得した変動パターン乱数値」には、スーパーリーチの変動パターンを行う乱数値も含まれている。そして、変動パターン乱数値としてスーパーリーチの変動パターンを行う乱数値が取得されることは、「所定条件」といえるから、引用発明の「スーパーリーチ」は、本願補正発明の「所定条件が成立したとき」の「特別演出」に相当する。また、引用発明の「演出図柄制御手段１０２」は本願補正発明の「特別演出実行手段」に相当する。
　したがって、引用発明の「所定の乱数生成手段から取得した変動パターン乱数値に基づいて、スーパーリーチを実行する演出図柄制御手段１０２」は、本願補正発明の「所定条件が成立したときに特別演出を実行する特別演出実行手段」に相当する。
（ｅ）引用発明の「第１操作ボタン１２が押圧操作されるアニメーション画像等よりなる第１操作誘導画像を表示する第１操作誘導報知」、「第２操作ボタン１３が押圧操作されるアニメーション画像等よりなる第２操作誘導画像を表示する第２操作誘導報知」は、それぞれ、本願補正発明の「遊技者に前記第１の動作を行うように促す第１の促進演出」、「遊技者に前記第２の動作を行うように促す第２の促進演出」に相当する。そして、引用発明の「操作演出制御手段１０３」は本願補正発明の「促進演出実行手段」に相当する。
　したがって、引用発明の「第１操作ボタン１２が押圧操作されるアニメーション画像等よりなる第１操作誘導画像を表示する第１操作誘導報知、第２操作ボタン１３が押圧操作されるアニメーション画像等よりなる第２操作誘導画像を表示する第２操作誘導報知を実行する操作演出制御手段１０３」は、本願補正発明の「遊技者に前記第１の動作を行うように促す第１の促進演出または遊技者に前記第２の動作を行うように促す第２の促進演出を実行する促進演出実行手段」に相当する。
（ｆ）引用発明の「操作演出制御手段１０３」（「促進演出実行手段」）は上記（ｅ）の機能以外に、下記に関する機能も有することは明らかである。
（ｇ）引用発明の「スーパーリーチが演出図柄制御手段１０２により実行されるとき」は、本願補正発明の「前記特別演出が前記特別演出実行手段によって実行されるとき」に相当する。そして、引用発明の「大当たり信頼度が異なる第１操作演出と第２操作演出を実行可能」である点と、本願補正発明の「期待度が異なるように、前記第１の促進演出と前記第２の促進演出のいずれかを実行」する点は、「期待度が異なるように、前記第１の促進演出と前記第２の促進演出のいずれかを実行可能」である点で共通する。
（ｉ）引用発明の「第１操作誘導報知」と「第２操作誘導報知」の有効期間が互いに重ならないように設定することは、上記両方の誘導報知を同時に実行しないようにすることであり、いずれか一方が誘導報知をする際に他方の誘導報知を制限することであるともいえる。
　したがって、引用発明の「第１操作演出中に行う第１操作誘導報知と第２操作演出中に行う第２操作誘導報知の有効期間が互いに重ならないように設定した」ことは、本願補正発明の「前記第１の促進演出が実行される期間は前記第２の促進演出の実行を制限」したことに相当する。
　そうすると、両者は、
「Ａ　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
Ｂ　遊技者の第１の動作を検出する第１の検出手段と、
Ｃ　遊技者の前記第１の動作とは異なる第２の動作を検出する第２の検出手段と、
Ｄ　所定条件が成立したときに特別演出を実行する特別演出実行手段と、
Ｅ　遊技者に前記第１の動作を行うように促す第１の促進演出または遊技者に前記第２の動作を行うように促す第２の促進演出を実行する促進演出実行手段と、
　を備え、
Ｆ’　前記促進演出実行手段は、
Ｇ’　前記特別演出が前記特別演出実行手段によって実行されるときには、期待度が異なるように、前記第１の促進演出と前記第２の促進演出のいずれかを実行可能とし、
Ｉ　前記第１の促進演出が実行される期間は前記第２の促進演出の実行を制限する、
Ｊ’　遊技機。」
である点で一致しており、次の点で相違する。
（相違点１）
　本願補正発明は「前記第１の促進演出と前記第２の促進演出の少なくともいずれか一方について、演出態様が異なる複数の促進演出を実行可能」としたのに対し、引用発明は、第１促進演出と第２促進演出において演出態様が異なる複数の促進演出を実行可能であることは特定されていない点。
（相違点２）
　本願補正発明は「前記特別演出が前記特別演出実行手段によって実行されるときには、期待度が異なるように、前記第１の促進演出と前記第２の促進演出のいずれかを実行する」のに対し、引用発明は「前記特別演出が前記特別演出実行手段によって実行されるときには、期待度が異なるように、前記第１の促進演出と前記第２の促進演出のいずれかを実行可能」とした点。
（相違点３）
　本願補正発明は、「前記第１の促進演出または前記第２の促進演出を実行するときには、期待度が異なるように、演出態様が異なる複数の促進演出のいずれかを実行」するのに対し、引用発明はそのような特定がされていない点。
（相違点４）
　本願補正発明は、「前記第１の促進演出が実行される前に、前記第１の促進演出が実行されることを報知する」のに対し、引用発明はそのような特定がされていない点。
（４）判断
（ａ）そこで、まず前記相違点１について検討する。
　前記（２−２）の刊行物２には、パチンコ遊技機において、外部入力スイッチ１０への操作を遊技者に促すための演出データとして、パターンＡ〜パターンＤがあることが記載されている。そして、大当り期待度が高いほど後続のパターン（パターンＣやパターンＤ等）が選択されやすいことも記載されている。そして、演出データは促進演出といえ、パターンＡ〜パターンＤは演出態様が異なる複数の促進演出といえる。
　つまり、刊行物２には、演出態様が異なる複数の促進演出を実行可能とした点が記載されているといえる。
　そして、引用発明も刊行物２に記載のものも、遊技機において促進演出を可能とした点で共通するから、引用発明の第１の促進演出と前記第２の促進演出の少なくともいずれか一方において、刊行物２に記載の演出態様が異なる複数の促進演出を実行可能とした構成を採用し、前記相違点１に係る本願補正発明の構成とすることは当業者が容易に想到し得ることである。
（ｂ）次に、相違点２について検討する。
　引用発明は「前記特別演出が前記特別演出実行手段によって実行されるときには、期待度が異なるように、前記第１の促進演出と前記第２の促進演出のいずれかを実行可能」としたもので、「実行可能」とあるように、必ず実行するとまで特定されたものではない。
　しかし、スーパーリーチのような特別演出は、変動時間が通常長く、演出ボタン等を用いた演出を関連付けるように設定することは当業者が適宜行えることである。
　したがって、引用発明において、「前記特別演出が前記特別演出実行手段によって実行されるときには、期待度が異なるように、前記第１の促進演出と前記第２の促進演出のいずれかを実行する」ようにし、前記相違点２に係る本願補正発明の構成にすることは当業者が容易に想到し得ることである。
（ｃ）更に相違点３について検討する。
　前記相違点１で前述したように、刊行物２には、演出態様が異なる複数の促進演出として、パターンＡ〜パターンＤが記載され、後続のパターンほど大当り期待度が高いことが記載されているから、演出態様が異なる複数の促進演出において大当たり期待度が異なることが記載されているといえる。
　したがって、引用発明の第１の促進演出または前記第２の促進演出において、刊行物２に記載されている、期待度が異なるように演出態様が異なる複数の促進演出のいずれかを実行する構成を採用し、前記相違点３に係る本願補正発明の構成とすることは当業者が容易に想到し得ることである。
（ｄ）最後に相違点４について検討する。
　前記（２−３）の刊行物３には、遊技機において、「次の変動でボタンを押せ！」というメッセージ９０１、および、操作ボタン１３０が操作対象であることを示す操作対象画像９０３を表示する単発操作演出予告と、「ボタンを押して爆発させろ！」という操作案内メッセージ９０２、および、操作対象画像９０３が表示される単発操作演出が記載されている。
　そして、後者の「ボタンを押して爆発させろ！」という操作案内メッセージ９０２、および、操作対象画像９０３が表示される単発操作演出は、本願補正発明でいう第１促進演出に相当するものである。そうすると、刊行物３における「次の変動でボタンを押せ！」というメッセージ９０１、および、操作ボタン１３０が操作対象であることを示す操作対象画像９０３を表示する単発操作演出予告は、第１促進演出が実行されることを事前に報知するものである。
　引用発明も刊行物３に記載のものも、遊技機において促進演出を可能とした点で共通するから、引用発明の第１の促進演出において刊行物３に記載された構成を採用し、前記相違点４に係る本願補正発明の構成とすることは当業者が容易に想到し得ることである。
（ｅ）また、本願補正発明の効果について、引用発明、刊行物２、３に記載された事項からみて格別なものではない。
（ｆ）なお、請求人は審判請求書において、引用文献３について言及しているが、前記刊行物３は引用文献３と異なるものであるから、請求人の主張に対し言及することはできない。
（５）小括
　よって、本願補正発明は引用発明及び刊行物２、３に記載された事項に基づいて当業者が容易に発明できたものであり、特許法第２９条第２項の規定に基づいて特許出願の際独立して特許を受けることができない。
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１に係る発明（以下、「本願発明」という。）は、平成２６年６月１６日付けの手続補正書により補正された、上記第２の１．で示した特許請求の範囲の請求項１に記載されたとおりのものである。
１．刊行物
　原査定の拒絶の理由に引用された刊行物１、２の記載事項、引用発明の認定は上記第２の３．（２）に記載したとおりである。
　
２．対比・判断
　本願発明は、基本的に本願補正発明の発明特定事項から、上記第２の１．の下線部の構成を省いたものである。そして、下線部の構成により前記相違点４が存在した。
　そこで、本願発明と先の引用発明を対比すると、上記第２の３．（３）における相違点１−３で相違し、残余の点で一致する。
　そして、相違点１−３については上記第２の３．（４）において、検討・判断したとおり、引用発明と刊行物２の記載事項に基づいて当業者が容易に行い得ることである。
　そうすると、本願発明は原査定のとおり、引用発明と刊行物２の記載事項に基づいて当業者が容易に発明できたものである。
　
３．むすび
　以上のとおり、本願発明は、特許法第２９条第２項の規定に基づいて特許を受けることができないものである。
　したがって、本願は拒絶すべきである。　
　よって、結論のとおり審決する。